(57)【特許請求の範囲】
【請求項１】
釣糸を案内するためのガイドリングと、該ガイドリングを保持するための金属製のガイドフレームとを備えた釣糸ガイドであって、
ガイドフレームは、ガイドリングを保持する枠部と、竿体に取り付けるための取付部と、枠部と取付部とを連結する支持脚部とを備え、
支持脚部の根元部は中実状の金属部材から構成され、該中実状の部分よりも先端側のガイドフレームの部分は中空状の金属線材から構成され、中実状の金属部材と中空状の金属線材とが接合一体化されていることを特徴とする釣糸ガイド。
【請求項２】
取付部は、支持脚部の根元部と共に前記中実状の金属部材から構成されている請求項１記載の釣糸ガイド。
【請求項３】
中実状の金属部材は、左右一対の接合用挿入部を備え、該一対の接合用挿入部がそれぞれ中空状の金属線材の両端部に挿入された状態で接合されている請求項２記載の釣糸ガイド。
【請求項４】
中実状の金属部材は、中空状の金属線材の内径に対応した外径を有する中実状の金属線材から構成され、該中実状の金属線材は二つ折りの状態であって且つその両端部が左右一対の接合用挿入部として中空状の金属線材の両端部に挿入されている請求項３記載の釣糸ガイド。
【請求項５】
請求項１乃至４の何れかに記載の釣糸ガイドを備えていることを特徴とする釣竿。
【請求項６】
ガイドリングを保持するための金属製のガイドフレームであって、
ガイドリングを保持する枠部と、竿体に取り付けるための取付部と、枠部と取付部とを連結する支持脚部とを備え、
支持脚部の根元部は中実状の金属部材から構成され、該中実状の部分よりも先端側の部分は中空状の金属線材から構成され、中実状の金属部材と中空状の金属線材とが接合一体化されていることを特徴とする釣糸ガイドのガイドフレーム。
【請求項７】
釣糸を案内するためのガイドリングと、該ガイドリングを保持するための金属製のガイドフレームと、竿体の外周面に固定又は遊動自在に装着される筒状体とを備えた釣糸ガイドであって、
ガイドフレームは、ガイドリングを保持する枠部と、筒状体に取り付けるための取付部と、枠部と取付部とを連結する支持脚部とを備え、
支持脚部の根元部は中実状の金属部材から構成され、該中実状の部分よりも先端側のガイドフレームの部分は中空状の金属線材から構成され、中実状の金属部材と中空状の金属線材とが接合一体化されていることを特徴とする釣糸ガイド。
【発明の詳細な説明】
【技術分野】
【０００１】
本発明は、釣糸を案内するための釣糸ガイドと、それを備えた釣竿と、釣糸ガイドのガイドフレームに関する。
【背景技術】
【０００２】
釣糸を案内するための釣糸ガイドは、例えば下記特許文献１所載のように、金属板を打ち抜くことによって形成されたガイドフレームと、該ガイドフレームの孔に取り付けられて釣糸を案内するガイドリングとを備えたものが一般的である。しかしながら、ガイドフレームが金属板を打ち抜いて形成されたものであるため、強度を確保しつつ軽量化を図ることには限界がある。
【０００３】
そこで、本発明者らは、ガイドフレームを中空状の金属線材から構成することを検討した。即ち、金属線材をガイドリングの外周面に沿って曲げ加工して、竿体に取り付けるための取付部と該取付部から立ち上がるフレーム本体部とを金属線材で一体的に形成した。
【０００４】
一方、釣糸ガイドに大きな外力が作用した場合にガイドフレームがその根元部で大きく曲がって塑性変形する場合がある。そのような場合にはガイドフレームの根元部を逆側に再び曲げて元の状態に復帰させたい。しかしながら、中空状の金属線材からガイドフレームを構成した釣糸ガイドでは、曲がったガイドフレームの根元部を元の状態に復帰させようとしてもその根元部が座屈したり破損したりしやすいため、元の状態に復帰させることが困難である。
【先行技術文献】
【特許文献】
【０００５】
【特許文献１】特開２００１−２３８５７７号公報
【発明の概要】
【発明が解決しようとする課題】
【０００６】
それゆえに本発明は、釣糸ガイドの軽量化を図ると共に、万一、釣糸ガイドのガイドフレームがその根元部において大きく塑性変形したとしても破壊しにくく元の状態に復帰させやすい釣糸ガイド及び釣竿並びにガイドフレームを提供することを課題とする。
【課題を解決するための手段】
【０００７】
本発明は上記課題を解決すべくなされたものであって、本発明に係る釣糸ガイドは、釣糸を案内するためのガイドリングと、該ガイドリングを保持するための金属製のガイドフレームとを備えた釣糸ガイドであって、ガイドフレームは、ガイドリングを保持する枠部と、竿体に取り付けるための取付部と、枠部と取付部とを連結する支持脚部とを備え、支持脚部の根元部は中実状の金属部材から構成され、該中実状の部分よりも先端側のガイドフレームの部分は中空状の金属線材から構成され、中実状の金属部材と中空状の金属線材とが接合一体化されていることを特徴とする。
【０００８】
該構成の釣糸ガイドのガイドフレームは、枠部を含む主要部が中空状の金属線材から構成されているので、従来のような金属板から構成されたガイドフレームに比して軽量化できる。そして、支持脚部の根元部が中実状の金属部材から構成されているので、例えば通常の姿勢から前側に倒すようにガイドフレームをその根元部において塑性変形させたとしても、ガイドフレームの根元部が破壊しにくく元の姿勢に復帰させやすい。
【０００９】
特に、取付部は、支持脚部の根元部と共に前記中実状の金属部材から構成されていることが好ましい。即ち、取付部も含めて中実状の金属部材から構成することにより、ガイドフレームを中実状の金属部材からなる第一の部材と中空状の金属線材からなる第二の部材という二つの部材から構成でき、構造が複雑なものにならずに済み、また、根元部の強度も容易に確保できる。
【００１０】
更に、中実状の金属部材は、左右一対の接合用挿入部を備え、該一対の接合用挿入部がそれぞれ中空状の金属線材の両端部に挿入された状態で接合されていることが好ましい。例えば、中空状の金属線材の一端部側が他端部側よりも延設されて支持脚部が一本足の構成とされ、その金属線材の一端部に中実状の金属部材が接合される構成とすることもできるが、支持脚部を二本足の構成として中空状の金属線材の両端部にそれぞれ中実状の金属部材の接合用挿入部が接合される構成とすることにより、中空状の金属線材と中実状の金属部材との接合が強固なものとなる。そして、中空状の金属線材の両端部がそれぞれ開口しているという構成を利用して、中実状の金属部材に左右一対の接合用挿入部を設けて、その一対の接合用挿入部を中空状の金属線材の両端開口部にそれぞれ挿入する構成とすることにより、中空状の金属線材と中実状の中空部材とを容易に接合できると共に強固に接合できる。
【００１１】
また更に、中実状の金属部材は、中空状の金属線材の内径に対応した外径を有する中実状の金属線材から構成され、該中実状の金属線材は、二つ折りの状態であって且つその両端部が左右一対の接合用挿入部として中空状の金属線材の両端部に挿入されていることが好ましい。中実状の金属部材を中空状の金属線材の内径に対応した外径を有する中実状の金属線材から構成することにより、左右一対の接合用挿入部の構成が容易になり、中空状の金属線材の両端部に中実状の金属線材の両端部を容易に挿入して両者を接合できる。また、中実状の金属線材が中空状の金属線材の内径に対応した外径を有するものであるので、中実状の金属線材と中空状の金属線材とを強固に接合一体化できる。更に、中実状の金属線材を二本使用する構成ではなく、一本の中実状の金属線材を二つ折りしてその両端部をそれぞれ接合用挿入部とすることにより製造が容易であるうえに、取付部の形状も安定しやすく、竿体への取付作業も容易になって綺麗且つ強固に取り付けることができる。
【００１２】
また、本発明に係る釣竿は、このような釣糸ガイドが装着されたものである。
【００１３】
更に、本発明に係る釣糸ガイドのガイドフレームは、ガイドリングを保持するための金属製のガイドフレームであって、ガイドリングを保持する枠部と、竿体に取り付けるための取付部と、枠部と取付部とを連結する支持脚部とを備え、支持脚部の根元部は中実状の金属部材から構成され、該中実状の部分よりも先端側の部分は中空状の金属線材から構成され、中実状の金属部材と中空状の金属線材とが接合一体化されていることを特徴とする。
【００１４】
また、本発明に係る釣糸ガイドは、釣糸を案内するためのガイドリングと、該ガイドリングを保持するための金属製のガイドフレームと、竿体の外周面に固定又は遊動自在に装着される筒状体とを備えた釣糸ガイドであって、ガイドフレームは、ガイドリングを保持する枠部と、筒状体に取り付けるための取付部と、枠部と取付部とを連結する支持脚部とを備え、支持脚部の根元部は中実状の金属部材から構成され、該中実状の部分よりも先端側のガイドフレームの部分は中空状の金属線材から構成され、中実状の金属部材と中空状の金属線材とが接合一体化されていることを特徴とする。
【発明の効果】
【００１５】
以上のように、ガイドフレームの支持脚部の根元部が中実状とされ、それよりも先端側の部分が中空状とされているので、金属板を打ち抜いたガイドフレームに比して軽量化でき、しかも、ガイドフレームが根元部において大きく塑性変形したとしても破損しにくく元の状態に復帰させやすい。
【図面の簡単な説明】
【００１６】
【図１】本発明の一実施形態における釣糸ガイドを前側から見た正面図。
【図２】同釣糸ガイドを竿体に取り付けた状態を示す一部破断線を含む断面図。
【図３】同釣糸ガイドのガイドフレームを前側から見た正面図。
【図４】同ガイドフレームの側面図。
【図５】（ａ）は同ガイドフレームの平面図、（ｂ）は同ガイドフレームの底面図。
【図６】同釣糸ガイドのガイドリングの製造工程を示す図であって、（ａ）は正面図、（ｂ）は断面図。
【図７】（ａ）及び（ｂ）は同釣糸ガイドのガイドリングの製造工程を示す断面図。
【図８】同釣糸ガイドの製造工程を示す図であって、（ａ）及び（ｂ）は後側から見た背面図、（ｃ）は（ｂ）の要部断面図。
【図９】（ａ）及び（ｂ）は同釣糸ガイドの製造工程を示す断面図。
【図１０】同釣糸ガイドを竿体に取り付けた状態を示す概略図であって、（ａ）は釣糸ガイドを基準状態から前側に塑性変形させた変形状態を示し、（ｂ）は（ａ）の変形状態から元の基準状態に復元させた状態を示す。
【図１１】本発明の他の実施形態における釣糸ガイドを竿体に取り付けた状態を示す前側から見た正面図。
【図１２】図１１のＡ−Ａ断面図。
【図１３】本発明の他の実施形態における釣糸ガイドを示す斜視図。
【発明を実施するための形態】
【００１７】
以下、本発明の一実施形態に係る釣糸ガイドについて図１〜図１０を参酌しつつ説明する。図１に示す釣糸ガイド１は、釣糸を直接案内するためのガイドリング２と、該ガイドリング２を保持すると共にガイドリング２と竿体５とを繋ぐためのガイドフレーム３と、ガイドフレーム３を補強するためのブリッジパーツ４とを備えている。
【００１８】
図中、竿体５の軸線方向を前後方向と称すると共に、竿先側（前側）を符号Ｘ１で示し、竿尻側（後側）を符号Ｘ２で示す。また、竿体５の軸線方向と直交する方向であってガイドリング２の中心線５０を通る平面上の方向を上下方向とし、竿体５から離れる方向を上側として符号Ｚ１で示し、竿体５に近づく方向を下側として符号Ｚ２で示す。尚、上側を先端側と、下側を基端側と称する場合がある。また、上側から見た平面視において竿体５の軸線方向と直交する方向を左右方向とし、それを符号Ｙで示す。尚、竿体５の軸線方向（前後方向）は竿体５の中心線５１の方向であって、後述するガイドフレーム３の取付部３２の長手方向である。
【００１９】
＜ガイドリング２＞
ガイドリング２は、図１に示すように例えば円形の環状であるが、楕円形や長円形等であってもよい。本実施形態においてはガイドリング２が円形の場合について説明する。ガイドリング２は耐摩耗性に優れた、種々の硬質材料からなり、例えばＳｉＣ（シリコンカーバイト）に代表されるセラミックであっても無論よいが、本実施形態ではチタンからなる。チタンとしてはチタン合金が好ましい。チタン合金は、α相とβ相が混在しているものであって、主としてα相であって一部にβ相が残留したニアα型（少量のβ安定化元素を添加したα合金）、α＋β型、β型が好適である。特にβ型のチタン合金であることが好ましく、冷間加工性が良く、部材の強度も容易に確保できる。ニアα型としては、例えば、Ｔｉ−８Ａｌ−１Ｍｏ−１ＶやＴｉ−６Ａｌ−２Ｎｂ−１Ｔａ−０．８Ｍｏ等である。α＋β型は、ニアα型よりも多量のβ相が残留しており、例えば、Ｔｉ−３Ａｌ−２．５ＶやＴｉ−６Ａｌ−４Ｖ等である。β型は、準安定β型とも称されるものであって、α＋β型に比してβ安定化元素が多く、α安定化元素が少ない。β型では、残留β相中に微細な粒でα相が分散して生成しており、従って、β型においてもその表面にはα相とβ相とがまだら模様となって存在している。β型としては、例えば、Ｔｉ−１５Ｖ−３Ｃｒ−３Ｓｎ−３Ａｌや、Ｔｉ−３Ａｌ−８Ｖ−６Ｃｒ−４Ｚｒ−４Ｍｏや、Ｔｉ−１０Ｖ−２Ｆｅ−３Ａｌ等があるが、特に、冷間加工性に優れていることからＴｉ−１５Ｖ−３Ｃｒ−３Ｓｎ−３Ａｌが好ましい。
【００２０】
ガイドリング２は、釣糸が挿通する糸挿通孔を有しており、ガイドリング２の内周面を釣糸が摺動することで釣糸を直接案内する。ガイドリング２の内周面は、断面視において内側凸となる曲面である。また、ガイドリング２の外周面も断面視において内側凸となる曲面である。即ち、ガイドリング２の外周面には、ガイドフレーム３が係合可能な周溝２０が全周に亘って形成されており、該周溝２０の断面形状が曲面状となっている。後述するようにガイドフレーム３は断面円形の金属線材からなる部分を有しており、その円形断面の全周のうち９０度以上１８０度未満の角度範囲がガイドリング２の外周面の周溝２０に係合することが好ましい。また、ガイドリング２の径方向（内外方向）の厚さは全周に亘って一定であって薄肉である。即ち、図７（ｂ）のように、ガイドリング２の径方向の厚さＧ１は、ガイドリング２の中心線５０の方向に沿った寸法Ｇ２（長さ）よりも小さい。
【００２１】
ガイドリング２は、金属板を所定形状にプレス加工することにより形成されている。図６のように例えばチタン合金からなる金属板をドーナツ状に打ち抜き、この打ち抜いた金属板２１を図７（ａ）のように一方の面側から矢印で示すようにプレス加工して筒状に変形させると共に、筒状となったガイドリング２の一端部２２を径方向外側に鍔状に湾曲させる。次に、図７（ｂ）のように反対側である他方の面側から矢印で示すように筒状のガイドリング２を更にプレス加工してその他端部２３も一端部２２と同様に径方向外側に鍔状に湾曲させて、ガイドリング２の断面形状を全体として中心側凸に湾曲した断面視円弧状の形状とする。尚、ガイドリング２の他端部２３の湾曲の大きさは一端部２２のそれに比して小さい。従って、ガイドリング２の外径は他端部２３よりも一端部２２の方が大きい。このようにして形成されたガイドリング２は、その両端部２２，２３が径方向外側に鍔状に突出していて、即ち、両端部２２，２３にそれぞれ鍔部を有する形状であって、その両端部２２，２３の間にガイドフレーム３が係合する。詳細には、図２のように径方向外側への湾曲の度合いが相対的に大きい一端部２２が後側となり、径方向外側への湾曲の度合いが相対的に小さい他端部２３が前側となるようにガイドフレーム３に装着されている。ガイドリング２はその両端部２２，２３が鍔状となっていてその間にガイドフレーム３が係合しているので、ガイドフレーム３に対する前後の移動が規制され且つ前側や後側へ抜け落ちも防止される。尚、ガイドリング２の外周面とガイドフレーム３とは径方向に切断した断面視において面接触してもよいが、点接触してもよい。ガイドフレーム３は円形断面を有する金属線材であるが、ガイドリング２の外周面とガイドフレーム３とが点接触する場合、一点ではなく前後（金属線材の円形断面の周方向）に間隔をあけて複数点で接触する構成とすることが好ましく、二点あるいは三点で接触することがより好ましい。
【００２２】
＜ガイドフレーム３＞
ガイドフレーム３は、竿体５の外周面に取り付けるための取付部３２と、該取付部３２から上側に向かって即ち竿体５から径方向外側に離れるように立ち上がって、竿体５から所定距離離れた位置でガイドリング２を保持するフレーム本体部とを備えている。そして、フレーム本体部は、ガイドリング２を保持する枠部３０と、枠部３０と取付部３２とを連結する支持脚部３１とを備えている。
【００２３】
ガイドフレーム３は、金属線材から構成されている。具体的には、ガイドフレーム３は二つの部材から構成されており、中空状の金属線材３４からなる中空部と中実状の金属線材３５からなる中実部とを有している。ガイドフレーム３は、一本の中空状の金属線材３４と一本の中実状の金属線材３５とが互いに接合された構成であり、中空状の金属線材３４の両端部と中実状の金属線材３５の両端部３５ａがそれぞれ接合されて一体化されている。従って、ガイドフレーム３は、二本の金属線材３４，３５から構成されていて、全体として無端状となっており、接合部３６を二箇所有している。
【００２４】
フレーム本体部は、図４のように、取付部３２の前端部から湾曲しつつ上側に向かった後、直線的に上側に延びている。フレーム本体部において湾曲しつつ上側に向かっている部分がフレーム本体部の根元部３３である。尚、本実施形態においては、取付部３２に対してフレーム本体部が直角に立ち上がっていて、従って、ガイドリング２の中心線５０が竿体５の中心線５１と平行になっているが、ガイドリング２の中心線５０が竿体５の中心線５１と平行ではなく傾斜するようにフレーム本体部が立ち上がっていてもよい。即ち、フレーム本体部が前傾姿勢で立ち上がった構成であってもよい。
【００２５】
フレーム本体部の根元部３３及び取付部３２が中実状の金属線材３５から構成された中実部であり、該中実部よりも先端側のフレーム本体部の部分は中空状の金属線材３４から構成された中空部である。二箇所の接合部３６は、根元部３３の直ぐ上側の位置にあって、その接合部３６よりも下側の部分が中実部であり、接合部３６よりも上側の部分が中空部である。中実状の金属線材３５は中空状の金属線材３４の内径に対応した外径を有しており、中実状の金属線材３５の端部３５ａが接合用挿入部として中空状の金属線材３４の端部に挿入されて接合されている。接合方法は接着によるものであってもよいが、溶接によることが好ましい。但し、接着剤を併用してもよい。
【００２６】
また、フレーム本体部は、金属線材がＵ字状に曲げられて形成されており、本実施形態では金属線材の両端部がフレーム本体部の下端部で左右に並んだ構成とされている。尚、フレーム本体部の下端部は中実状の金属線材３５からなる中実部である。そして、図３のように、前側から見た正面視において、フレーム本体部は、取付部３２から全体として徐々に左右方向に広がりつつ上側に延びて、途中からガイドリング２の外形に沿って延びている。即ち、フレーム本体部は、その先端側においてガイドリング２を所定角度に亘って周回している。より詳細には、前側から見た正面視において、上述した根元部３３の下部においては、上側に向けて真っ直ぐに伸びていて、根元部３３の上部においては、上側に向けて左右方向に広がりつつ延びている。
【００２７】
金属線材は、例えばチタン合金やステンレス、アルミニウム合金からなる。その中でも特に軽量化の観点からはチタン合金が好ましい。チタン合金の詳細についてはガイドリング２と同様であり、冷間加工性が良く、部材の強度も容易に確保できることから、β型のチタン合金が好ましい。尚、中空状の金属線材３４と中実状の金属線材３５とは、互いに異なる材質であってもよいし、同じ材質であってもよく、一例としては、何れもβ型のチタン合金として軽量化を図ることができる。金属線材は、円形の断面形状を有している。中空状の金属線材３４の外径、即ち、金属線材の線径は例えば０．３〜６ｍｍ、好ましくは１〜３ｍｍである。中実状の金属線材３５の外径は、上述したように中空状の金属線材３４の内径に対応したものが好ましい。
【００２８】
＜枠部３０＞
フレーム本体部は、先端側（上側）の枠部３０と基端側（下側）の支持脚部３１とからなる。枠部３０は、その内側にガイドリング２を保持するための部分であってフレーム本体部の先端側の領域を構成しており、所定の中心角θを有する円弧状に形成されている。枠部３０は、中空状の金属線材３４をガイドリング２の外周面に沿って曲げ加工することによって下側に開口したＣ字状に形成されており、従って、枠部３０は、その全体が中空部である。枠部３０はガイドリング２に対応したサイズ、形状となっている。枠部３０の形状はガイドリング２の形状によって異なり、本実施形態では円形のガイドリング２を使用しているため枠部３０もそれに対応して円弧状であるが、楕円形のガイドリング２を使用する場合には枠部３０もそれに対応して楕円弧状となる。枠部３０は、ガイドリング２の全周のうち上側所定範囲のみに当接してガイドリング２の外周面を支持する。枠部３０はガイドリング２の所定角度範囲を周回するがその中心角θは１８０度近傍の角度であることが好ましく、１５０度〜２４０度であることが好ましい。本実施形態において枠部３０の中心角θはガイドリング２の半周未満即ち１８０度未満であり、１５０度以上１８０度未満が好ましく、１６０度〜１７０度がより好ましい。このように枠部３０の中心角θ、即ち、ガイドフレーム３がガイドリング２の外周面に当接する角度範囲が１８０度未満であると、支持脚部３１が左右外側に膨らんだ形状となりやすく糸絡み防止に有利である。そのため、枠部３０はガイドリング２の半周よりも僅かに短い角度範囲を周回するように構成されることが好ましい。
【００２９】
＜支持脚部３１＞
支持脚部３１は、枠部３０と取付部３２との間に位置して枠部３０と取付部３２とを連結している。上述したフレーム本体部の根元部３３は、支持脚部３１の根元部３３（下端部）である。従って、支持脚部３１は、その大部分を占める上部が中空部であり、接合部３６及び根元部３３を含む下部が中実部である。支持脚部３１は、左右に二本並んだ二本足の構成であって、左右対称形状とされている。即ち、左右一対の支持脚部３１は、枠部３０の両端部から下方に向けてそれぞれ延びている。左右一対の支持脚部３１は、それぞれ枠部３０の両端部から左右方向外側に膨らむようにして下方に延びて、その後、互いに接近するように、即ち、互いの間隔を狭くするように左右方向の内側に向けて延びていて、下端部においては、互いに当接あるいは若干の隙間を介して接近した状態となっている。左右の支持脚部３１がそれぞれ左右方向の外側に膨らんだ形状となっていることから、両支持脚部３１間の最大離間距離Ｗ１は枠部３０の内周面の直径Ｄ（枠部３０の内周面の半径の二倍）よりも大きい。図３に枠部３０の内周面を延長した仮想円５２を二点鎖線で示しているが、この仮想円５２の直径Ｄよりも両支持脚部３１間の最大離間距離Ｗ１は大きい。また、本実施形態では、左右一対の支持脚部３１は、下端部において当接せずに若干の隙間を介して接近した状態にあり、左右一対の支持脚部３１の下端部同士の間の離間間隔Ｗ２は、１ｍｍ以下、具体的には０．５〜１ｍｍとすることが好ましい。但し、左右一対の支持脚部３１が下端部において互いに当接していてもよい。
【００３０】
尚、支持脚部３１の形状は種々変更可能である。例えば、図３には、支持脚部３１の下端部を起点とし上述の仮想円５２と接する仮想直線５３を二点鎖線で示しているが、この仮想直線５３に沿って支持脚部３１が形成されていてもよい。但し、支持脚部３１は仮想直線５３に対して少なくとも外側に膨らむ形状であることが好ましく、糸絡みを防止する効果がある。尚、上述した枠部３０の中心角θは、仮想直線５３が仮想円５２と接する接点５４間の角度を最大とすることが好ましい。
【００３１】
＜取付部３２＞
取付部３２は、フレーム本体部の根元部３３と共に中実部であって中実状の金属線材３５から構成されている。中実状の金属線材３５は一本である。図５にも示しているように、その一本の中実状の金属線材３５が取付部３２の後端部において左右に二つ折りに折り返されて中実部が構成されている。従って、一本の中実状の金属線材３５の両端部３５ａは何れも前側に位置していて、その両端部３５ａが、中空状の金属線材３４の両端部に接合するための一対の接合用挿入部となっている。
【００３２】
また、一本の中実状の金属線材３５が二つ折りされて取付部３２が形成されているので、取付部３２は、金属線材３５からなる左右一対の線状部が左右に平行に並んで構成されている。左右一対の線状部は、互いに当接していてもよいが、本実施形態では互いに僅かに離間している。左右一対の線状部同士の間に隙間を設けることにより、薄板を介在させて金属線材３５を正確に二つ折りすることができて、二つ折りの工程が容易になる。両線状部間の隙間Ｗ２は、左右一対の支持脚部３１の下端部同士の間の間隔Ｗ２と等しく、例えば１ｍｍ以下、具体的には０．５〜１ｍｍとすることが好ましい。
【００３３】
取付部３２は、図２のように巻糸６によって竿体５の外周面に巻き付けられる。取付部３２の抜け止めのために、取付部３２の両側縁部にはそれぞれ切欠部３７が設けられており、該切欠部３７において巻糸６がしっかりと巻き付けられる。この切欠部３７の形状や個数は任意であるが、例えば、半円状とされ、取付部３２の左右両側縁部にそれぞれ間隔をあけて二箇所ずつ左右対向配置で設けられる。また、取付部３２の下面には、竿体５の曲面に沿うように上側凸に左右方向に沿って湾曲した凹面部３８が形成されている。該凹面部３８の曲率半径Ｒ（図３参照）は例えば竿体５の外周面の曲率半径（竿体５の外径の１／２）とされる。竿体５への取付の容易さを考慮して取付部３２の下面全体を凹面部３８とすることが好ましい。
【００３４】
＜ブリッジパーツ４＞
上述のように、枠部３０は下方に開口したＣ字状であって、支持脚部３１は左右一対の二本足の構成であって左右に離間している。また、枠部３０はガイドリング２の外周面の上側所定角度領域のみに当接して支持していて、ガイドリング２の外周面のうち下側所定角度領域はガイドフレーム３には当接せず支持されていない。そこで、ガイドフレーム３を補強すると共にガイドフレーム３によるガイドリング２の保持を補完すべく、ガイドリング２の下側の位置にブリッジパーツ４が設けられている。
【００３５】
ブリッジパーツ４は、ガイドフレーム３の内側であって、ガイドリング２に対して取付部３２側（竿体５への装着状態においては竿体５に近い側）に位置していて、ガイドリング２の外周面の下側所定角度領域に当接してガイドリング２の外周面の下側所定角度領域を支持すると共に、左右一対の支持脚部３１同士を左右に連結する。ブリッジパーツ４は、ガイドフレーム３がガイドリング２を支持しない角度領域の大部分を支持して、ガイドリング２の保持力をアップさせる。尚、ガイドリング２は、ガイドフレーム３の枠部３０とブリッジパーツ４によって上下に狭持されるように保持される。また、ブリッジパーツ４が左右一対の支持脚部３１同士を左右に連結して突っ張り部として機能することでガイドフレーム３が補強され、ガイドフレーム３の枠部３０の開口部近傍がブリッジパーツ４によって連結されることにもなる。
【００３６】
また、ブリッジパーツ４は、ガイドフレーム３がガイドリング２の外周面から離れていく左右二箇所においてガイドフレーム３とガイドリング２との間の空間を補填しており、このブリッジパーツ４による空間補填によって糸絡みが防止される。即ち、ガイドフレーム３の左右の支持脚部３１がそれぞれガイドリング２の外周面から離れていく左右二箇所においては、支持脚部３１とガイドリング２の外周面との間に急峻な谷状の空間がＶ字状となって形成される。この左右二箇所の空間をブリッジパーツ４が補填している。具体的には、ブリッジパーツ４は、ガイドフレーム３がガイドリング２の外周面から離れていく左右二箇所においてガイドフレーム３とガイドリング２との間の空間に位置する左右一対の補填部４０と、両補填部４０同士を連結する連結部４１とを備えている。
【００３７】
ブリッジパーツ４は一つの部材から構成されており、従って、左右一対の補填部４０とその間の連結部４１は一体的に形成されている。補填部４０は、ガイドリング２とガイドフレーム３との間の空間に対応してその空間に挿入できるように、図１に示すような正面視において、ガイドリング２からガイドフレーム３が離れる離反点Ｐに向けて徐々に細くなっていく先細り形状とされていて、逆に言えば、その離反点Ｐから下側に離れる程に幅広となっている。また、連結部４１は、ガイドリング２の外周面に沿って弧を描くように延びている。尚、連結部４１におけるガイドリング２の径方向の寸法（厚さ）は、連結部４１におけるガイドリング２の中心線５０の方向の寸法よりも小さいことが好ましく、軽量化できる。
【００３８】
ブリッジパーツ４は、ガイドリング２側に位置する上面４２と、反ガイドリング２側に位置する下面と、左右一対の側面４４とを備えている。尚、ガイドリング２の中心に対する内外方向で見れば、ブリッジパーツ４の上面４２は内側に位置する面であるから内面であり、またブリッジパーツ４の下面は外側に位置する面であるから外面である。ブリッジパーツ４の上面４２はガイドリング２の外周面に当接する。従って、ブリッジパーツ４の上面４２は、ガイドリング２の外周面に沿った形状であって、ガイドリング２の外周面の所定角度範囲に当接できるようにその角度範囲に対応した中心角を有する正面視円弧状の凹形状となっている。尚、ブリッジパーツ４の上面４２がガイドリング２の外周面に当接する角度範囲は１８０度未満であることが好ましい。
【００３９】
また、ブリッジパーツ４の上面４２は、ガイドリング２の径方向に沿って切断した断面視において、ガイドリング２の外周面との接触面積を十分に確保できるようにガイドリング２の外周面に対応した断面形状であることが好ましい。上述したようにガイドリング２の外周面には周溝２０が形成されている。従って、ブリッジパーツ４の上面４２は、ガイドリング２の径方向に沿って切断した断面視において、ガイドリング２の外周面の周溝２０に係合する断面形状であることが好ましく、ガイドリング２の中心に向かって凸に湾曲した凸状曲面とされることが好ましい。
【００４０】
ブリッジパーツ４の下面は、上面４２とは上下反対側に位置する面である。ブリッジパーツ４の下面は、ガイドリング２の外周面に対応して、ブリッジパーツ４の上面４２やガイドリング２と同心円状である円弧状部４３ａと、該円弧状部２３ａの両側にそれぞれ形成されて、ガイドフレーム３に近づくにつれて徐々にガイドリング２から離れていくように凹状に湾曲した左右一対の曲面部４３ｂとを備えている。ブリッジパーツ４の下面の曲面部４３ｂは、換言すれば、ブリッジパーツ４の左右方向両端に近づくにつれて徐々にブリッジパーツ４の上面４２から離れていくように湾曲している。
【００４１】
ブリッジパーツ４の側面４４は、ガイドフレーム３の支持脚部３１の内側に当接する。ブリッジパーツ４の側面４４には、ガイドフレーム３が係合可能な係合溝（図示省略）が形成されることが好ましい。係合溝は、断面視において、中空状の金属線材３４の断面形状である円形に対応した円弧状の断面形状である。ブリッジパーツ４は、前後方向（ガイドリング２の中心線５０の方向）の厚さが一定の板状とすることができ、その厚さは、好ましくは、ガイドフレーム３の中空状の金属線材３４の外径と等しい。
【００４２】
ブリッジパーツ４の材質は、比重の小さいものが好ましく、例えば、硬質樹脂や繊維強化樹脂とすることができ、特に、強化繊維にカーボン繊維を使用した繊維強化樹脂とすることが好ましく、射出成形により形成された樹脂成形品であることが好ましい。尚、ガイドフレーム３と同様にチタン合金等の金属製であってもよい。
【００４３】
以上のように構成された釣糸ガイド１は例えば以下のような順で組み立て製造される。上述したが、図６及び図７のようにしてチタン合金等の金属板２１からガイドリング２を製造する。そして、図８のように、別途製造しておいたブリッジパーツ４をガイドリング２に合体させる。尚、図８は、ガイドリング２及びブリッジパーツ４を図１とは反対側の後側から見ている。図８（ａ）は合体前の状態で、図８（ｂ）は合体後の状態であり、図８（ｃ）は合体後の状態の要部をガイドリング２のみを部分的に断面で示したものである。詳細には、ブリッジパーツ４の上面４２をガイドリング２の外周面の周溝２０に係合させるように当接させて、ブリッジパーツ４とガイドリング２とを接着固定する。
【００４４】
一方、中空状の金属線材３４をＵ字状に曲げてガイドフレーム３の第二の部材である中空部材を形成すると共に中実状の金属線材３５を二つ折りに折り曲げてガイドフレーム３の第一の部材である中実部材を形成する。そして、中空部材の両端部に中実部材の両端部をそれぞれ挿入して溶接により接合一体化して、ガイドフレーム３を形成する。
【００４５】
更に、ブリッジパーツ４を合体させたガイドリング２をガイドフレーム３に装着する。尚、ブリッジパーツ４とガイドリング２とを別々に独立してガイドフレーム３に装着してもよい。ガイドフレーム３にガイドリング２を装着する際には、図９（ａ）のように、ガイドフレーム３の後側からガイドリング２を前側に向けて押し込むようにする。ガイドリング２の外径はガイドフレーム３の枠部３０の内周面の直径Ｄ（仮想円５２の直径）よりも大きい。ガイドリング２の前端部である他端部２３の外径は、ガイドリング２の後端部である一端部２２の外径よりは小さいが、それでも尚、ガイドフレーム３の枠部３０の内周面の直径Ｄ（仮想円５２の直径）よりも大きい。そのため、ガイドフレーム３にガイドリング２を前側に向けて押し付けることでガイドフレーム３を若干拡径させながら、ガイドリング２をガイドフレーム３の枠部３０に押し込む。ガイドフレーム３の枠部３０は下側に開口するＣ字状であって支持脚部３１も左右離間した二本足構成であるため、ガイドフレーム３がガイドリング２の周溝２０に係合する構成であっても、ガイドリング２を押し込むことでガイドフレーム３が左右に開くように弾性変形してガイドリング２を受け入れ、図９（ｂ）のようにガイドリング２の外周面の周溝２０にガイドフレーム３が係入した状態となる。
【００４６】
特に、ガイドフレーム３の枠部３０や支持脚部３１が金属線材３４から構成されているので左右に開き変形しやすく、従って、ガイドリング２をスムーズに嵌入できる。また、金属線材３４の断面形状が円形であるので、スムーズにガイドリング２を嵌入できる。更には、ガイドフレーム３の枠部３０や支持脚部３１の上部主要領域を構成している金属線材３４が中空状であるため、中実状の金属線材３５に比して弾性変形しやすく、容易且つスムーズにガイドリング２を挿入できる。尚、ガイドリング２の前端部（他端部２３）の外側への湾曲変形の度合いは後端部（一端部２２）のそれよりも小さいので、ガイドリング２の前端部をガイドフレーム３の後側から押入することが好ましく、スムーズに装着できる。尚、ブリッジパーツ４についても同様にガイドフレーム３が左右に開くように弾性変形することで容易に装着できて、ブリッジパーツ４の両側面４４の係合溝にガイドフレーム３が係入した状態となる。尚、ガイドフレーム３にガイドリング２やブリッジパーツ４を装着するにあたって接着剤を使用してもよい。接着剤は補助的に使用してもよいし、例えば、周溝２０や係合溝を設けずに接着剤のみで接着固定する構成としてもよい。
【００４７】
このようにして製造された釣糸ガイド１は、図２のように釣竿の竿体５の外周面に取り付けられる。具体的には、竿体５の上に釣糸ガイド１の取付部３２を載置し、取付部３２と竿体５とに亘って巻糸６を巻き付けて釣糸ガイド１を竿体５に緊縛する。更に、接着性のある合成樹脂（接着剤）を巻糸６の巻き付け部分に塗布して固める。本実施形態において、竿体５への取付状態においてガイドリング２は直立姿勢となっているが、前側に傾斜した前傾姿勢であってもよい。
【００４８】
そして、万一、釣糸ガイド１のガイドフレーム３がその根元部３３において大きく塑性変形したとしても破壊しにくい。即ち、フレーム本体部の根元部３３が中実状であるので、例えばガイドフレーム３に前側に向けて大きな外力が作用して、図１０（ａ）のようにガイドフレーム３が根元部３３において前側に大きく曲がるように塑性変形したとしても、逆方向である後側に向けてガイドフレーム３を手で曲げる等して元の姿勢に復帰させることができる。仮にフレーム本体部の根元部３３が中空状であると、元の状態に復帰させようとしても根元部３３で破損しやすいために復帰させるのが困難であるが、フレーム本体部の根元部３３が中実状であるので元の状態に復帰させても根元部３３が破損しにくいのである。
【００４９】
一方、フレーム本体部の主要部が中空状の金属線材３４から構成されていて中空部であるので、従来のように全体が金属板から構成されたガイドフレーム３に比して軽量化でき、しかも、大きな強度を容易に確保することができる。
【００５０】
また、フレーム本体部の根元部３３のみならず取付部３２も中実状の金属線材３５から構成されているので、ガイドフレーム３を中実状の金属線材３５からなる第一の部材と中空状の金属線材３４からなる第二の部材という二つの部材から構成でき、ガイドフレーム３の構造が複雑なものにはならず簡素な構成にできる。
【００５１】
更に、中実状の金属線材３５が中空状の金属線材３４の内径に対応した外径を有していて、その中実状の金属線材３５の両端部３５ａが接合用挿入部として構成されて、その中実状の金属線材３５の両端部３５ａがそれぞれ中空状の金属線材３４の両端部に挿入されて接合一体化されているので、中実状の金属線材３５の両端部３５ａを中空状の金属線材３４の両端部に容易に挿入して接合することができ、しかも、強固に接合できる。
【００５２】
また更に、中実状の金属線材３５が取付部３２の後端部において二つ折りされて取付部３２が一本の中実状の金属線材３５から構成されていると共にその両端部３５ａから左右一対の接合用挿入部が構成されているので、中実状の金属線材３５を二本使用する構成に比して取付部３２や接合用挿入部の構成が容易になって中実部材を容易に製造でき、取付部３２の形状も安定しやすく、竿体５への取付作業も容易になって綺麗且つ強固に取り付けることができる。
【００５３】
尚、本実施形態では、支持脚部３１が二本足の構成であったが、一本足の構成であってもよい。従って、取付部３２の接合用挿入部も左右一対ではなく一つであってもよい。また、取付部３２の構成も任意であって、二本の金属線材３５から構成されたものであってもよく、その場合、二本の金属線材３５が左右に分離独立した構成であってもよいし、左右に並べて溶接等により一体化した構成であってもよい。更には、取付部３２は、必ずしも金属線材から構成されていなくてもよく、中実状の金属部材であればよく、例えば、金属板から構成されたものであってもよい。
【００５４】
また、釣糸ガイド１は、上述したような竿体５の外周面の所定位置に巻糸６によって巻き付け固定される構成の他、竿体５の外周面に装着される筒状体７を備えたものであってもよい。即ち、竿体５の外周面に接着剤等により固定される、あるいは、遊動自在に外装される筒状体７を備えた構成としてもよい。即ち、筒状体７を備える釣糸ガイド１は、筒状体７が竿体５の外周面の所定位置に固定される固定ガイドであってもよいし、竿体５の外周面に対して遊動自在である遊動ガイドであってもよい。このような筒状体７を備えた釣糸ガイド１は例えば振出竿に使用される。
【００５５】
例えば、釣糸ガイド１は、図１１及び図１２のように、竿体５に外装着される筒状体７を備え、ガイドフレーム３は、筒状体７に取り付けるための取付部３２と、該取付部３２から上方に延びる即ち竿体５から径方向外側に離れるように延びるフレーム本体部とを備える。フレーム本体部は同様に枠部３０と支持脚部３１とからなる。フレーム本体部は、上記実施形態のものとは根元部３３の形状が異なっている。上記実施形態においてはフレーム本体部の根元部３３は取付部３２の前端部から曲がりながら上方に向かう形状であったが、図１１及び図１２に示す実施形態では、フレーム本体部の根元部３３は取付部３２から前後方向に曲がることなくそのまま上側に立ち上がっている。また、取付部３２の構成も上記実施形態のものとは異なっている。即ち、取付部３２はＣ字状に形成されていて筒状体７の外周面を周回するようにしてその外周面に装着固定されている。尚、筒状体７の外周面に取付部３２が係合する周溝を形成してその周溝に取付部３２が係合してもよい。何れにしても取付部３２は一本の中実状の金属線材３５からＣ字状に形成されていてその取付部３２の両端部からフレーム本体部が上方に延設されている。二箇所の接合部３６等の構成については上記実施形態と同様である。尚、筒状体７に取り付けるための取付部３２は筒状体７の外周面の略全周に亘って周回する形状でなくてもよく、筒状体７の外周面を周回する角度範囲は任意であって例えば１８０度程度としてもよい。
【００５６】
また、取付部３２が筒状体７の外周面を所定角度範囲に亘って周回する構成とするのではなく、二本足の構成としてそれぞれ筒状体７に取り付けられるように構成してもよい。例えば、図１３のように、二本足構成である左右一対の支持脚部３１にそれぞれ接合部３６において接合一体化された二本の中実状の金属線材３５から取付部３２及びフレーム本体部の根元部３３を含む下部領域を構成してもよい。二本の中実状の金属線材３５の上端部３５ａはそれぞれ接合用挿入部とされて中空状の金属線材３４の両端部に挿入接合される。一方、二本の中実状の金属線材３５の下端部は取付部３２としてそれぞれ筒状体７に取付固定される。取付部３２は支持脚部３１に対して例えば後側に折り曲げ形成されてよい。取付部３２の筒状体７への取付構成は任意であって、例えば中実状の金属線材３５の端部を筒状体７の外周面に単に接着固定する構成としてもよいが、図１３のように筒状体７の外周面に固定孔７０を左右一対形成し、その一対の固定孔７０にそれぞれ取付部３２を挿入して固定するようにしてもよい。尚、筒状体７の外周面に突部７１を形成してその突部７１に固定孔７０を形成するようにすることが好ましい。
【符号の説明】
【００５７】
１    釣糸ガイド
２    ガイドリング
３    ガイドフレーム
４    ブリッジパーツ
５    竿体
６    巻糸
７    筒状体
２０    周溝
２１    金属板
２２    一端部（後端部）
２３    他端部（前端部）
３０    枠部
３１    支持脚部
３２    取付部
３３    根元部
３４    中空状の金属線材
３５    中実状の金属線材（中実状の金属部材）
３５ａ  端部（接合用挿入部）
３６    接合部
３７    切欠部
３８    凹面部
４０    補填部
４１    連結部
４２    上面
４３ａ  円弧状部（下面）
４３ｂ  曲面部（下面）
４４    側面
５０    ガイドリングの中心線
５１    竿体の中心線
５２    枠部の内周面の仮想円
５３    仮想直線
５４    仮想直線が仮想円と接する接点
７０    固定孔
７１    突部
Ｐ    離反点
θ    枠部の中心角
【図１】
0006557091.tif 000002
【図２】
0006557091.tif 000003
【図３】
0006557091.tif 000004
【図４】
0006557091.tif 000005
【図５】
0006557091.tif 000006
【図６】
0006557091.tif 000007
【図７】
0006557091.tif 000008
【図８】
0006557091.tif 000009
【図９】
0006557091.tif 000010
【図１０】
0006557091.tif 000011
【図１１】
0006557091.tif 000012
【図１２】
0006557091.tif 000013
【図１３】
0006557091.tif 000014